(57)【要約】  ユーザのプレゼンテーションの進行に追随するアウトラインを含むスライドショーを表示する方法は、コンフィギュレーションプログラム（ＣＰ）及びインテリジェントアジェンダプログラム（ＩＡＰ）を含む。ＣＰによりユーザは本発明のインテリジェントアジェンダを設定することができる。表示オプションを選択すると、ユーザはインテリジェントアジェンダのアウトラインの拡張を設定することができ、インテリジェントアジェンダに表示される行数を制限することができ、インテリジェントアジェンダに表示されるトピックを制限することができる。ユーザが、本発明と関連するプレゼンテーションプログラムを実行するときはいつでもＩＡＰが実行する。ＩＡＰは拡張設定に従ってアウトラインを表示し、ユーザにより規定された設定制限に基づいてアウトラインを修正する。インテリジェントアジェンダはプレゼンテーションを通じてユーザの進行を追跡し、プレゼンテーションアウトラインにおける現在のトピックの文脈位置を聴衆に知らせる。
2007524116.tif 000002
【特許請求の範囲】
【請求項１】
コンピュータでインテリジェントアジェンダプログラムを展開する方法であって、前記方法が前記インテリジェントアジェンダプログラムを前記コンピュータにインストールするステップを含み、前記インテリジェントアジェンダプログラムが、プレゼンテーションプログラムにより生成された複数のスライドにアウトラインを表示し、前記アウトラインがプレゼンテーションにおける現在のスライドの文脈位置を表示する方法。
【請求項２】
前記インテリジェントアジェンダプログラムが前記アウトラインを前記スライドの各々のタイトルから自動的に生成する、請求項１に記載の方法。
【請求項３】
前記インテリジェントアジェンダプログラムが、前記アウトラインのユーザ設定書式を受け入れるステップと、前記ユーザ設定書式で前記スライドに前記アウトラインを表示するステップとを含む、請求項１に記載の方法。
【請求項４】
前記インテリジェントアジェンダプログラムは、ユーザが表示オプションを設定したかを決定するステップと、前記ユーザが前記表示オプションを設定しなかったという決定に応答して、拡張された前記アウトラインにトピックのすべてを用いて前記アウトラインを表示するステップとを含む、請求項３に記載の方法。
【請求項５】
前記インテリジェントアジェンダプログラムは、ユーザが表示オプションを設定したという決定に応答して、前記ユーザがアウトライン拡張オプションを選択したかを決定するステップと、前記ユーザが前記アウトライン拡張オプションを選択したという決定に応答して、前記ユーザにより選択された前記アウトライン拡張オプションに従って前記アウトラインを表示するステップとを含む、請求項３に記載の方法。
【請求項６】
前記アウトライン拡張オプションがすべてのレベルの前記アウトラインを拡張する、請求項５に記載の方法。
【請求項７】
前記アウトライン拡張オプションがユーザ設定可能なレベル数の前記アウトラインを拡張する、請求項５に記載の方法。
【請求項８】
前記アウトライン拡張オプションがアウトラインにおいて現在のトピックだけを拡張する、請求項５に記載の方法。
【請求項９】
前記インテリジェントアジェンダプログラムは、ユーザが表示オプションを設定したという決定に応答して、前記ユーザが前記アウトラインの表示行数を制限したかを決定するステップと、前記ユーザが前記アウトラインの前記行数を制限したという決定に応答して、前記ユーザにより制限された前記表示行数に前記アウトラインを修正するステップとを含む、請求項３に記載の方法。
【請求項１０】
直接に隣接するトピックが残りの行のいずれかに表示される、請求項９に記載の方法。
【請求項１１】
前記ユーザにより制限された行数に従って、現在のトピックより上位にあるトピックを表示し、次に、前記ユーザにより制限された行数に従って、直接に隣接するトピックを表示する、請求項９に記載の方法。
【請求項１２】
前記インテリジェントアジェンダプログラムは、ユーザが表示オプションを設定したという決定に応答して、前記ユーザが、前記アウトラインに表示されるトピックの種類を制限したかを決定するステップと、前記ユーザが前記アウトラインのトピックの前記数を制限したという決定に応答して、前記ユーザにより制限された表示されるトピックの前記種類に前記アウトラインを修正するステップとを含む、請求項３に記載の方法。
【請求項１３】
前記アウトラインが前のトピックを表示しない、請求項１２に記載の方法。
【請求項１４】
前記アウトラインが後のトピックを表示しない、請求項１２に記載の方法。
【請求項１５】
前記ユーザ設定書式が、前記アウトラインと関連する色及び線である、請求項３に記載の方法。
【請求項１６】
前記ユーザ設定書式が、前記アウトラインのサイズである、請求項３に記載の方法。
【請求項１７】
前記ユーザ設定書式が、前記アウトラインのレイアウトである、請求項３に記載の方法。
【請求項１８】
前記ユーザ設定書式が、前記アウトラインと関連するピクチャである、請求項３に記載の方法。
【請求項１９】
前記ユーザ設定書式が、前記アウトラインと関連するテキストボックスである、請求項３に記載の方法。
【請求項２０】
前記ユーザ設定書式が、前記アウトラインと関連するウェブメッセージである、請求項３に記載の方法。
【請求項２１】
前記インテリジェントアジェンダが、各スライドの大体の存続期間を表示するタイマを含む、請求項３に記載の方法。
【請求項２２】
コンピュータ使用可能媒体と、前記コンピュータ使用可能媒体にインストールされたインテリジェントアジェンダプログラムとを含む、コンピュータを動作させるためのプログラムであって、前記インテリジェントアジェンダプログラムが、プレゼンテーションプログラムにより生成された複数のスライドにアウトラインを表示し、前記アウトラインがプレゼンテーションにおける現在のスライドの文脈位置を表示するプログラム。
【請求項２３】
前記インテリジェントアジェンダプログラムが前記アウトラインを前記スライドの各々のタイトルから自動的に生成する、請求項２２に記載のプログラム。
【請求項２４】
前記インテリジェントアジェンダプログラムが、前記アウトラインのユーザ設定書式を受け入れる命令と、前記ユーザ設定書式で前記スライドに前記アウトラインを表示する命令とを含む、請求項２２に記載のプログラム。
【請求項２５】
前記インテリジェントアジェンダプログラムは、ユーザが表示オプションを設定したかを決定する命令と、前記ユーザが前記表示オプションを設定しなかったという決定に応答して、拡張された前記アウトラインにトピックのすべてを用いて前記アウトラインを表示する命令とを含む、請求項２４に記載のプログラム。
【請求項２６】
前記インテリジェントアジェンダプログラムは、前記ユーザが表示オプションを設定したという決定に応答して、前記ユーザがアウトライン拡張オプションを選択したかを決定する命令と、前記ユーザが前記アウトライン拡張オプションを選択したという決定に応答して、前記ユーザにより選択された前記アウトライン拡張オプションに従って前記アウトラインを表示する命令とを含む、請求項２４に記載のプログラム。
【請求項２７】
前記アウトライン拡張オプションがすべてのレベルの前記アウトラインを拡張するようになっている、請求項２６に記載のプログラム。
【請求項２８】
前記アウトライン拡張オプションがユーザ設定可能なレベル数の前記アウトラインを拡張するようになっている、請求項２６に記載のプログラム。
【請求項２９】
前記アウトライン拡張オプションがアウトラインにおいて現在のトピックだけを拡張するようになっている、請求項２６に記載のプログラム。
【請求項３０】
前記インテリジェントアジェンダプログラムは、前記ユーザが表示オプションを設定したという決定に応答して、前記ユーザが前記アウトラインの表示行数を制限したかを決定する命令と、前記ユーザが前記アウトラインの前記行数を制限したという決定に応答して、前記ユーザにより制限された前記表示行数に前記アウトラインを修正する命令とを含む、請求項２４に記載のプログラム。
【請求項３１】
直接に隣接するトピックが残りの行のいずれかに表示される、請求項３０に記載のプログラム。
【請求項３２】
前記ユーザにより制限された行数に従って、現在のトピックより上位にあるトピックが表示され、次に、前記ユーザにより制限された行数に従って、直接に隣接するトピックが表示される、請求項３０に記載のプログラム。
【請求項３３】
前記インテリジェントアジェンダプログラムは、前記ユーザが表示オプションを設定したという決定に応答して、前記ユーザが、前記アウトラインに表示されるトピックの種類を制限したかを決定する命令と、前記ユーザが前記アウトラインのトピックの前記数を制限したという決定に応答して、前記ユーザにより制限された表示されるトピックの前記種類に前記アウトラインを修正する命令とを含む、請求項２４に記載のプログラム。
【請求項３４】
前記アウトラインが前のトピックを表示しない、請求項３３に記載のプログラム。
【請求項３５】
前記アウトラインが後のトピックを表示しない、請求項３３に記載のプログラム。
【請求項３６】
前記ユーザ設定書式が、前記アウトラインと関連する色及び線である、請求項２４に記載のプログラム。
【請求項３７】
前記ユーザ設定書式が、前記アウトラインのサイズである、請求項２４に記載のプログラム。
【請求項３８】
前記ユーザ設定書式が、前記アウトラインのレイアウトである、請求項２４に記載のプログラム。
【請求項３９】
前記ユーザ設定書式が、前記アウトラインと関連するピクチャである、請求項２４に記載のプログラム。
【請求項４０】
前記ユーザ設定書式が、前記アウトラインと関連するテキストボックスである、請求項２４に記載のプログラム。
【請求項４１】
前記ユーザ設定書式が、前記アウトラインと関連するウェブメッセージである、請求項２４に記載のプログラム。
【請求項４２】
前記インテリジェントアジェンダが、各スライドの大体の存続期間を表示するタイマを含む、請求項２４に記載のプログラム。
【請求項４３】
プレゼンテーションプログラムにより生成された複数のスライドにアウトラインを表示する装置であって、前記装置は、前記アウトラインのユーザ設定書式を受け入れる手段と、前記ユーザ設定書式で前記スライドに前記アウトラインを表示する手段と、ユーザが表示オプションを設定したかを決定する手段と、前記ユーザが前記表示オプションを設定しなかったという決定に応答して、拡張された前記アウトラインにトピックのすべてを用いて前記アウトラインを表示する手段と、前記ユーザが前記表示オプションを設定したという決定に応答して、前記ユーザがアウトライン拡張オプションを選択したかを決定する手段と、前記ユーザが前記アウトライン拡張オプションを選択したという決定に応答して、前記ユーザにより選択された前記アウトライン拡張オプションに従って前記アウトラインを表示する手段と、前記ユーザが前記表示オプションを設定したという決定に応答して、前記ユーザが前記アウトラインの表示行数を制限したかを決定する手段と、前記ユーザが前記アウトラインの前記行数を制限したという決定に応答して、前記ユーザにより制限された前記表示行数に前記アウトラインを修正する手段と、前記ユーザが前記表示オプションを設定したという決定に応答して、前記ユーザが、前記アウトラインに表示されるトピックの種類を制限したかを決定する手段と、前記ユーザが前記アウトラインのトピックの前記数を制限したという決定に応答して、前記ユーザにより制限された表示されるトピックの前記種類に前記アウトラインを修正する手段とを含み、インテリジェントアジェンダプログラムが、各スライドの大体の存続期間を表示するタイマを含み、前記アウトラインがプレゼンテーションにおける現在のスライドの文脈位置を表示し、前記インテリジェントアジェンダプログラムが前記アウトラインを前記スライドの各々のタイトルから自動的に生成する装置。
【請求項４４】
前記アウトライン拡張オプションがすべてのレベルの前記アウトラインを拡張するようになっている、請求項４３に記載の装置。
【請求項４５】
前記アウトライン拡張オプションがユーザ設定可能なレベル数の前記アウトラインを拡張するようになっている、請求項４３に記載の装置。
【請求項４６】
前記アウトライン拡張オプションがアウトラインにおいて現在のトピックだけを拡張するようになっている、請求項４３に記載の装置。
【請求項４７】
直接に隣接するトピックが残りの行のいずれかに表示される、請求項４３に記載の装置。
【請求項４８】
前記ユーザにより制限された行数に従って、現在のトピックより上位にあるトピックが表示され、次に、前記ユーザにより制限された行数に従って、直接に隣接するトピックが表示される、請求項４３に記載の装置。
【請求項４９】
前記アウトラインが前のトピックを表示しない、請求項４３に記載の装置。
【請求項５０】
前記アウトラインが後のトピックを表示しない、請求項４３に記載の装置。
【請求項５１】
前記ユーザ設定書式が、前記アウトラインと関連する色及び線である、請求項４３に記載の装置。
【請求項５２】
前記ユーザ設定書式が、前記アウトラインのサイズである、請求項４３に記載の装置。
【請求項５３】
前記ユーザ設定書式が、前記アウトラインのレイアウトである、請求項４３に記載の装置。
【請求項５４】
前記ユーザ設定書式が、前記アウトラインと関連するピクチャである、請求項４３に記載の装置。
【請求項５５】
前記ユーザ設定書式が、前記アウトラインと関連するテキストボックスである、請求項４３に記載の装置。
【請求項５６】
前記ユーザ設定書式が、前記アウトラインと関連するウェブメッセージである、請求項４３に記載の装置。
【請求項５７】
データ処理装置の動作を制御するプログラムコードを含むコンピュータプログラムであって、前記データ処理装置上で前記プログラムコードが、プレゼンテーションの複数のスライド内の現在のスライドの文脈位置の表現を生成及び更新するように実行し、前記プログラムコードが、前記複数のスライドの各々におけるテキストの選択に応答して、前記複数のスライドの選択されたテキストを含むアジェンダを生成するプログラムコードと、前記複数のスライドの各スライドと関連する前記アジェンダの表現を表示するプログラムコードとを含み、前記アジェンダの表示された表現が、前記複数のスライド内の現在表示されているスライドの前記文脈位置の表現を含むコンピュータプログラム。
【請求項５８】
前記複数のスライドの各々におけるテキストを自動的に選択するプログラムコードを更に含む、請求項５７に記載のコンピュータプログラム。
【請求項５９】
テキストを自動的に選択するステップが、前記複数のスライドの各々におけるタイトルを識別することを含む、請求項５８に記載のコンピュータプログラム。
【請求項６０】
コンピュータ生成プレゼンテーションの複数のスライド内の現在のスライドの文脈位置の表現を生成及び更新する方法であって、前記方法が、前記複数のスライドの各々におけるテキストの選択に応答して、前記複数のスライドの選択されたテキストを含むアジェンダを生成するコンピュータ実施ステップと、前記複数のスライドの各スライドと関連する前記アジェンダの表現を表示するコンピュータ実施ステップとを含み、前記アジェンダの表示された表現が、前記複数のスライド内の現在表示されているスライドの前記文脈位置の表現を含む方法。
【発明の詳細な説明】
【技術分野】
【０００１】
本発明は、概して、スライドショー及びプレゼンテーション用のコンピュータプログラムに関し、特に、スライドに関するアウトラインを表示及び更新するコンピュータプログラムに関する。
【背景技術】
【０００２】
ＭＩＣＲＯＳＯＦＴ（Ｍｉｃｒｏｓｏｆｔ  Ｃｏｒｐｏｒａｔｉｏｎの商標）ＰＯＷＥＲＰＯＩＮＴ（Ｍｉｃｒｏｓｏｆｔ  Ｃｏｒｐｏｒａｔｉｏｎの商標）及びＬＯＴＵＳ（ＩＢＭ  Ｃｏｒｐｏｒａｔｉｏｎの商標）ＦＲＥＥＬＡＮＣＥ  ＧＲＡＰＨＩＣＳ（ＩＢＭ  Ｃｏｒｐｏｒａｔｉｏｎの商標）のようなプレゼンテーションプログラムは当該技術分野において周知である。プレゼンテーションプログラムの一般に受け入れられている使用方法は、ユーザがプレゼンテーションプログラムでスライドショーの形態をとってプレゼンテーションを生成することである。ユーザは次に、プレゼンテーション中、スライドショーを聴衆に見せることができる。ユーザがスライドショーを聴衆に見せているとき、スライドショーにおける講演者の現在の文脈位置を判断できることは聴衆にとって有益である。文脈位置は、プレゼンテーションでのあらゆるトピックの文脈における現在のスライドの位置である。スライドショーにおける講演者の現在の文脈位置に関する認識は、現在のスライドで伝えられている情報を理解するように意味を追加し、聴衆の能力を高めることができる。現在、聴衆は、プレゼンテーションにおける講演者の現在の文脈位置を追跡し続ける方法を持たない。従って、プレゼンテーションにおける講演者の現在の文脈位置を聴衆に知らせる装置が必要である。
【０００３】
ユーザは多くのプレゼンテーションプログラムによりページ番号をスライドに付けることができる。スライドにページ番号を付けることは、ページが何枚通過したか（すなわち、物理位置）を聴衆に教えるが、プレゼンテーションに関する文脈情報を何も伝えない。ページ番号が「ＹのうちのＸ番目のページ（Ｐａｇｅ  Ｘ  ｏｆ  Ｙ）」書式を用いるときでさえ、ページ番号は文脈情報を何も伝えず、講演者が何よりもスライドを論じるのに多くの時間を費やす可能性があるので、ページ番号が過った方向に導くおそれがある。アウトラインタイプの書式は、文脈位置情報を聴衆に伝えるのに適している。従って、アウトライン書式で現在のスライドの文脈位置を聴衆に示す方法が必要である。
【０００４】
静的印刷または電子文書に関する文脈情報を表示するアウトラインを用いてＡＤＯＢＥ（Ｒ）文書を設定することができる。アウトラインは、現在のトピックより先行するトピックと、当面のトピックに続くトピックとを含む。アウトラインは最初に短縮されているが、読む人によりアウトライントピックを拡張することができる。読み人が文書をゆっくりと見直すことができ、文書を完全に制御するので、ＡＤＯＢＥ（Ｒ）アウトラインは静的文書にとって有益である。しかし、ＡＤＯＢＥ（Ｒ）ソフトウェアが、スライドへ映像または音声を追加するようなプレゼンテーション機能を含まず、講演者に動画または対話式のスライドを生成させることができないので、ＡＤＯＢＥ（Ｒ）アウトラインは、聴衆に見せるスライドショーのような動的プレゼンテーションに適さない。
【０００５】
その結果として、スライドショーにおける講演者の現在の位置を聴衆に知らせる方法が当該技術分野において必要である。聴衆が理解しやすいアウトライン書式で聴衆に知らせる方法まで広げる必要がある。また、講演者がアウトラインの拡張及び短縮を制御できるアウトラインが必要である。最後に、スライドショー中のスライドからアウトラインを作成する自動化法が必要である。
【発明の開示】
【発明が解決しようとする課題】
【０００６】
上記で確認された要求を満たす本発明の最初の態様は、ユーザのプレゼンテーションの進行に追随するアウトラインを含むスライドショーを表示する方法である。本発明のソフトウェア実施形態は、コンフィギュレーションプログラム（ＣＰ）及びインテリジェントアジェンダプログラム（ＩＡＰ）を含む。ＣＰによりユーザは本発明のインテリジェントアジェンダを設定することができる。ユーザはインテリジェントアジェンダの色及び線、インテリジェントアジェンダのサイズ、インテリジェントアジェンダのレイアウト、インテリジェントアジェンダの背景のピクチャ、インテリジェントアジェンダのテキストボックス、インテリジェントアジェンダのウェブオプション及びインテリジェントアジェンダの表示オプションを設定することができる。表示オプションを選択すると、ユーザはインテリジェントアジェンダのアウトラインの拡張を設定することができ、インテリジェントアジェンダに表示される行数を制限することができ、インテリジェントアジェンダに表示されるトピックを制限することができる。
【０００７】
ユーザが、本発明と関連するプレゼンテーションプログラムを実行するときはいつでもＩＡＰが実行する。ユーザがインテリジェントアジェンダを設定しなかったら、ＩＡＰは、選択されたスライドと、拡張されたアウトライン全体とを初期設定として表示する。ユーザがインテリジェントアジェンダを設定したならば、ＩＡＰは拡張設定に従ってアウトラインを表示し、ユーザにより規定された設定制限に基づいてアウトラインを修正する。ユーザは本発明を欠いたままで、スライドをナビゲートすることができる。本発明のインテリジェントアジェンダはプレゼンテーションを通じてユーザの進行を追跡し、プレゼンテーションアウトラインにおける現在のトピックの文脈位置を聴衆に知らせる。
【０００８】
新規な特徴と確信する本発明の特性を特許請求の範囲に記載した。しかし、下記の例示的な実施形態の詳細な説明を添付図面と併せて読みながら、これを参照することにより本発明自体を理解するのが最も良い。
【発明を実施するための最良の形態】
【０００９】
本明細書では、「上位にある」とは、メイントピックであるトピック、または、現在のトピックに対して高いところにあるサブトピックを意味すべきである。
【００１０】
本明細書では、「隣接する」とは、現在のトピックの直前または直後のトピックを意味すべきである。
【００１１】
本明細書では、「下位にある」とは、現在のトピックがメイントピックであろうとサブトピックであろうとにかかわらず、現在のトピックに対するサブトピックを意味すべきである。
【００１２】
本明細書では、「コンピュータ」とは、ユーザまたは他のコンピュータと相互作用できるプロセッサ、メモリ及びオペレーティングシステムを有する機械を意味すべきであり、以下のものに限定するものではないが、デスクトップコンピュータ、ノート型コンピュータ、パーソナルデジタルアシスタント（ＰＤＡ）サーバ、ハンドヘルドコンピュータ及び類似の装置を含むべきである。
【００１３】
本明細書では、「メイントピック」とは、新たな主題を取り入れ、上位のトピックを持たないトピックを意味すべきである。
【００１４】
本明細書では、「次へ」とは、現在のトピックから、それに続くトピックに進むことを意味すべきである。
【００１５】
本明細書では、「プレゼンテーションプログラム」とは、スライドショーを表示するコンピュータプログラムを意味すべきである。
【００１６】
本明細書では、「前へ」とは、現在のトピックから直前のトピックに戻ることを意味すべきである。
【００１７】
本明細書では、「サブトピック」とは、メイントピックスライドにおける主題について詳細に述べるスライドを意味すべきである。
【００１８】
本明細書では、「トピック」とは、プレゼンテーションプログラムスライドショーにおけるスライドを意味すべきである。
【００１９】
図１は、本発明と関連するコンピュータネットワーク９０の説明図である。コンピュータネットワーク９０は、ネットワーク９６に電気的に接続されているローカルコンピュータ９５を含む。ローカルコンピュータ９５は、ネットワーク９６を介して遠隔コンピュータ９４及び遠隔コンピュータ９３に電気的に接続されている。ローカルコンピュータ９５は、ネットワーク９６を介してサーバ９１及びデータベース９２にも電気的に接続されている。ネットワーク９６をローカルエリアネットワーク（ＬＡＮ）のような簡易ネットワーク手段とすることができ、または、広域ネットワーク（ＷＡＮ）あるいはインターネットのような大きいネットワークとすることができる。更に、図１に示すコンピュータネットワーク９０は、本発明を含む実行可能な動作ネットワークを示すものであり、構造上の制限を意味するものではない。
【００２０】
プロセッサ、メモリ及び入力／出力装置の接続及び位置付けを含むコンピュータの内部設定は当該技術分野において周知である。本発明は、コンピュータを動作させるためのコンピュータプログラムあるいはコンピュータプログラムで具体化できる方法である。図２を参照する。本発明の方法は、コンフィギュレーションプログラム（ＣＰ）３００及びインテリジェントアジェンダプログラム（ＩＡＰ）５００によりソフトウェア上で実施される。本明細書で記述されているＣＰ３００及びＩＡＰ５００を、図１に示したいずれかのコンピュータのメモリ内に記憶することができる。あるいはまた、ＣＰ３００またはＩＡＰ５００あるいはその両方を、取り外し可能なディスク、ＣＤ−ＲＯＭまたはＵＳＢ記憶装置のような外部記憶装置内に記憶することができる。メモリ１００は図１のコンピュータのうちの１つのコンピュータ内にあるメモリを例示する。また、メモリ１００はプレゼンテーションプログラムあるいはプレゼンテーションプログラム１２０を含む。プレゼンテーションプログラム１２０は、プレゼンテーションで視覚資材として一般に用いられるコンピュータプログラムである。プレゼンテーションプログラム１２０の例として、ＭＩＣＲＯＳＯＦＴ（Ｒ）ＰＯＷＥＲＰＯＩＮＴ（Ｒ）及びＬＯＴＵＳ（Ｒ）ＦＲＥＥＬＡＮＣＥ  ＧＲＡＰＨＩＣＳ（Ｒ）が挙げられる。本発明は、メモリ１００を介してプレゼンテーションプログラム１２０とインターフェースをとることができる。本発明の一部として、プレゼンテーションプログラム１２０、ＣＰ３００及びＩＡＰ５００のいずれか１つまたは任意の組み合わせをもってメモリ１００を構成することができる。プロセッサ１０６は、プレゼンテーションプログラム１２０、ＣＰ３００及びＩＡＰ５００のいずれか１つまたは任意の組み合わせに含まれている命令を実行することができる。プロセッサ１０６は、表示装置１０２上にデータを表示し、ユーザ入力装置１０４上のユーザ入力を受け入れることもできる。プロセッサ１０６、ユーザ入力装置１０４、表示装置１０２及びメモリ１００は、図１におけるローカルコンピュータ９５のようなコンピュータの一部である。プロセッサ１０６は、ネットワーク９６を介して他のコンピュータと通信することができる。
【００２１】
他の実施形態では、プレゼンテーションプログラム１２０、ＣＰ３００及びＩＡＰ５００のいずれか１つまたは任意の組み合わせを他のコンピュータのメモリに記憶することができる。プレゼンテーションプログラム１２０、ＣＰ３００及びＩＡＰ５００のいずれか１つまたは任意の組み合わせを他のコンピュータのメモリに記憶することにより、プロセッサ作業負荷を、１つのプロセッサの代わりに複数のプロセッサにわたって分散させることができる。様々なメモリにわたるプレゼンテーションプログラム１２０、ＣＰ３００及びＩＡＰ５００のいずれか１つまたは任意の組み合わせの更なる構成は当業者により既知である。本発明を、方法、スタンドアロンコンピュータプログラム、または既存のコンピュータプログラムへのプラグインとすることができる。当業者は、既存のコンピュータプログラムへプラグインするため、本明細書に記載するようなコンピュータプログラムを設定する方法を知っている。
【００２２】
図３には、本発明の概念を示すのに用いられるスライドショーのアウトライン２００を示す。トピックを２つの区分すなわちメイントピック及びサブトピックに分割することができる。メイントピックは、新たな主題を取り入れるスライドである。サブトピックは、メイントピックスライドにおける主題について詳細に述べるスライドである。メイントピックは、サブトピックより上位にあることを意味する。サブトピックは、メイントピックより下位にあることを意味する。トピックの区分にかかわらず、現在のトピックから、それに続くトピックに進むことは、次のトピックに行くことを意味する。同様に、現在のトピックから直前のトピックに戻ることは、前のトピックに行くことを意味する。図３では、アウトライン２００が、８個のメイントピックに配置された１２個のスライドを含む。メイントピックIＶは３個のサブトピックを有し、メイントピックＶは１個のサブトピックを有する。
【００２３】
図４には、本発明のコンフィギュレーションプログラム（ＣＰ）３００のロジックを示す。ＣＰ３００は、本発明のインテリジェントアジェンダを設定するプログラムである。ユーザがプレゼンテーションプログラム１２０のオプションメニュを呼び出すときにＣＰ３００は開始する（３０２）。次に、ユーザはインテリジェントアジェンダオプションをオプションメニュから選択する（３０４）。その後、ＣＰ３００は、プレゼンテーションプログラム１２０でスライドからタイトルを読み取る（３０６）。トピックが正しいアウトライン書式であるかを決定するため、ＣＰ３００はユーザに問い合わせを行う（３０８）。トピックが正しいアウトライン書式であれば、ＣＰ３００はステップ３１２に進む。トピックが正しいアウトライン書式でなければ、ユーザはトピックのアウトラインを再編成する（３１０）。トピックのアウトラインを再編成する場合、ユーザはトピック及びサブトピックの編成を取り決めることができる。ユーザは所望に応じてトピックの名称を変更することもできる。次に、ＣＰ３００はステップ３１２に進む。
【００２４】
ステップ３１２では、ユーザがインテリジェントアジェンダ色及び線を設定したいかをＣＰ３００が決定する（３１２）。ユーザがインテリジェントアジェンダ色及び線を設定したくなければ、ＣＰ３００はステップ３１６に進む。ユーザがインテリジェントアジェンダ色及び線を設定したければ、ＣＰ３００はインテリジェントアジェンダ色及び線のユーザ設定を受け入れる（３１４）。ユーザは、図５に示すＧＵＩ４００を用いてインテリジェントアジェンダ色及び線を設定することができる。次に、ＣＰ３００はステップ３１６に進む。
【００２５】
ステップ３１６では、ユーザがインテリジェントアジェンダサイズを設定したいかをＣＰ３００が決定する（３１６）。ユーザがインテリジェントアジェンダサイズを設定したくなければ、ＣＰ３００はステップ３２０に進む。ユーザがインテリジェントアジェンダサイズを設定したければ、ＣＰ３００はインテリジェントアジェンダサイズのユーザ設定を受け入れる（３１８）。ユーザは、図６に示すＧＵＩ４００を用いてインテリジェントアジェンダサイズを設定することができる。次に、ＣＰ３００はステップ３２０に進む。
【００２６】
ステップ３２０では、ユーザがインテリジェントアジェンダレイアウトを設定したいかをＣＰ３００が決定する（３２０）。ユーザがインテリジェントアジェンダレイアウトを設定したくなければ、ＣＰ３００はステップ３２４に進む。ユーザがインテリジェントアジェンダレイアウトを設定したければ、ＣＰ３００はインテリジェントアジェンダレイアウトのユーザ設定を受け入れる（３２２）。ユーザは、図７に示すＧＵＩ４００を用いてインテリジェントアジェンダレイアウトを設定することができる。次に、ＣＰ３００はステップ３２４に進む。
【００２７】
ステップ３２４では、ユーザがインテリジェントアジェンダピクチャを設定したいかをＣＰ３００が決定する（３２４）。ユーザがインテリジェントアジェンダピクチャを設定したくなければ、ＣＰ３００はステップ３２８に進む。ユーザがインテリジェントアジェンダピクチャを設定したければ、ＣＰ３００はインテリジェントアジェンダピクチャのユーザ設定を受け入れる（３２６）。ユーザは、図８に示すＧＵＩ４００を用いてインテリジェントアジェンダピクチャを設定することができる。次に、ＣＰ３００はステップ３２８に進む。
【００２８】
ステップ３２８では、ユーザがインテリジェントアジェンダテキストボックスを設定したいかをＣＰ３００が決定する（３２８）。ユーザがインテリジェントアジェンダテキストボックスを設定したくなければ、ＣＰ３００はステップ３３２に進む。ユーザがインテリジェントアジェンダテキストボックスを設定したければ、ＣＰ３００はインテリジェントアジェンダテキストボックスのユーザ設定を受け入れる（３３０）。ユーザは、図９に示すＧＵＩ４００を用いてインテリジェントアジェンダテキストボックスを設定することができる。次に、ＣＰ３００はステップ３３２に進む。
【００２９】
ステップ３３２では、ユーザがインテリジェントアジェンダウェブオプションを設定したいかをＣＰ３００が決定する（３３２）。ユーザがインテリジェントアジェンダウェブオプションを設定したくなければ、ＣＰ３００はステップ３３６に進む。ユーザがインテリジェントアジェンダウェブオプションを設定したければ、ＣＰ３００はインテリジェントアジェンダウェブオプションのユーザ設定を受け入れる（３３４）。ユーザは、図１０に示すＧＵＩ４００を用いてインテリジェントアジェンダウェブオプションを設定することができる。次に、ＣＰ３００はステップ３３６に進む。
【００３０】
ステップ３３６では、ユーザがインテリジェントアジェンダ表示オプションを設定したいかをＣＰ３００が決定する（３３６）。ユーザがインテリジェントアジェンダ表示オプションを設定したくなければ、ＣＰ３００はステップ３４０に進む。ユーザがインテリジェントアジェンダ表示オプションを設定したければ、ＣＰ３００はインテリジェントアジェンダ表示オプションのユーザ設定を受け入れる（３３８）。ユーザは、図１１に示すＧＵＩ４００を用いてインテリジェントアジェンダ表示オプションを設定することができる。次に、ＣＰ３００はステップ３４０に進む。ステップ３４０では、ＣＰ３００が終了する（３４０）。
【００３１】
図５は、ユーザが本発明のインテリジェントアジェンダを設定できるグラフィカルユーザインターフェース（ＧＵＩ）４００の説明図である。ＧＵＩ４００は色及び線タブ４１０のような複数の設定タブを含む。色及び線タブ４１０は塗りつぶしオプション４１２、線オプション４１４及び矢印オプション４１６を含む。ユーザは、塗りつぶしオプション４１２を用いてインテリジェントアジェンダの背景色及び透かしを設定することができる。ユーザは、線オプション４１４を用いてスライドの残りからインテリジェントアジェンダを分離するのに用いられる線の色、スタイル及び幅を設定することができる。ユーザは、矢印オプション４１６を用いてインテリジェントアジェンダ上の現在のトピックまたはサブトピックを指し示すポインタ矢印のスタイル及びサイズを設定することができる。ユーザは、「ＯＫ」ボタンをクリックすることにより設定オプションを受け入れることができ、または、「キャンセル」ボタンをクリックすることにより設定オプションをキャンセルすることができる。その他のオプションを色及び線タブ４１０に設定できることを当業者は理解するであろう。
【００３２】
図６は、サイズタブ４２０を表示するＧＵＩ４００の説明図である。サイズタブ４２０によりユーザは本発明のインテリジェントアジェンダのサイズを設定することができる。サイズタブ４２０は、サイズ及び回転オプション４２２、比率オプション４２４、並びに原型のサイズデータ４２６を含む。サイズ及び回転オプション４２２よりユーザはインテリジェントアジェンダの高さ及び幅を設定することができる。所望に応じ、サイズ及び回転オプション４２２よりユーザはインテリジェントアジェンダを回転することもできる。比率オプション４２４は、ユーザがインテリジェントアジェンダの相対的サイズを変更することによりインテリジェントアジェンダの高さ及び幅を修正できるようにする。また、比率オプション４２４によりユーザがインテリジェントアジェンダの縦横比（高さ対幅の比率）を固定することができる。比率オプション４２４によりユーザが、原型のピクチャサイズに対して高さ及び幅を変更することもできる。原型のサイズデータ４２６はインテリジェントアジェンダの原型のサイズであり、インテリジェントアジェンダのサイズを修正する際、ユーザは原型のサイズデータ４２６を基準として用いることができる。「リセット」ボタンによりユーザは、原型のサイズデータ４２６に記述されているサイズにインテリジェントアジェンダのサイズをリセットすることができる。ユーザは、「ＯＫ」ボタンをクリックすることにより設定オプションを受け入れることができ、または、「キャンセル」ボタンをクリックすることにより設定オプションをキャンセルすることができる。その他のオプションをサイズタブ４２０に設定できることを当業者は理解するであろう。
【００３３】
図７は、レイアウトタブ４３０を表示するＧＵＩ４００の説明図である。レイアウトタブ４３０によりユーザは本発明のインテリジェントアジェンダのレイアウトを設定することができる。レイアウトタブ４３０は、ラッピングスタイルオプション４３２、水平方向の配置オプション４３４及びスライド上の位置オプション４３６を含む。ラッピングスタイルオプション４３２によりユーザは、インテリジェントアジェンダがスライドのテキストと相互作用する方法を設定することができる。実行可能なラッピングオプションは、テキスト行内、四角、密接、テキストの背面及びテキストの前面である。水平方向の配置オプション４３４によりユーザはインテリジェントアジェンダの水平方向の配置を指定することができる。実行可能な水平方向の配置は左、中央、右及びその他である。レイアウトタブ４３０がインテリジェントアジェンダの垂直方向の配置について類似のオプションを用いて設定できることを当業者は理解するであろう。ユーザが水平方向の配置オプション４３４の「その他」を選択すれば、ユーザは、スライド上の位置オプション４３６を用いて水平方向の配置を指定する必要がある。ユーザは、スライド上の位置オプション４３６を用いてインテリジェントアジェンダの垂直方向の位置をも指定することができる。ユーザは、「ＯＫ」ボタンをクリックすることにより設定オプションを受け入れることができ、または、「キャンセル」ボタンをクリックすることにより設定オプションをキャンセルすることができる。その他のオプションをレイアウトタブ４３０に設定できることを当業者は理解するであろう。
【００３４】
図８は、ピクチャタブ４４０を表示するＧＵＩ４００の説明図である。．ｊｐｇ、．ｇｉｆまたは．ｂｍｐファイルのような画像ファイルからのピクチャを用いて本発明のインテリジェントアジェンダを設定することができる。画像ファイルをインターネット上に記憶し、本発明のインテリジェントアジェンダが画像ファイルにアクセスすることができる。ピクチャタブ４４０によりユーザは本発明のインテリジェントアジェンダのピクチャを設定することができる。ピクチャタブ４４０は切り取りオプション４４２及び画像制御オプション４４４を含む。切り取りオプション４４２によりユーザは、大きいピクチャからピクチャの一部を切り取ることができる。画像制御オプション４４４によりユーザは、インテリジェントアジェンダの背景に用いられるピクチャの色、輝度及びコントラストを制御することができる。所望に応じ、「圧縮」ボタンによりユーザは画像を圧縮または引き伸ばすことができる。ユーザが色、輝度及びコントラスト設定を修正した後、「リセット」ボタンによりユーザは色、輝度及びコントラスト設定をリセットすることができる。ユーザは、「ＯＫ」ボタンをクリックすることにより設定オプションを受け入れることができ、または、「キャンセル」ボタンをクリックすることにより設定オプションをキャンセルすることができる。その他のオプションをピクチャタブ４４０に設定できることを当業者は理解するであろう。
【００３５】
図９は、テキストボックスタブ４５０を表示するＧＵＩ４００の説明図である。テキストボックスタブ４５０によりユーザは本発明のインテリジェントアジェンダ内にテキスト表示領域を設定することができる。テキストボックスタブ４５０は内部余白オプション４５２を含む。内部余白オプション４５２によりユーザはインテリジェントアジェンダ内部の上、下、左及び右余白を設定することができる。ユーザは、インテリジェントアジェンダのテキストをワードラップするチェックボックスを選択することもできる。更に、ユーザは、インテリジェントアジェンダ内にテキストを合わせるようにインテリジェントアジェンダのサイズを再設定するチェックボックスを選択することができる。ユーザは、インテリジェントアジェンダのテキストを書式化する「フォーマット呼び出し」ボタンを選択することができる。ユーザは、インテリジェントアジェンダのテキストボックスをフレームに変更する「フレームへの変換」ボタンを選択することができる。ユーザは、「ＯＫ」ボタンをクリックすることにより設定オプションを受け入れることができ、または、「キャンセル」ボタンをクリックすることにより設定オプションをキャンセルすることができる。その他のオプションをテキストボックスタブ４５０に設定できることを当業者は理解するであろう。
【００３６】
図１０は、ウェブタブ４６０を表示するＧＵＩ４００の説明図である。本発明の一部として、インターネットに記憶されているピクチャを用いてインテリジェントアジェンダを設定することができる。ウェブタブ４６０によりユーザは、インターネット画像をロードしているとき、または利用できないときに表示する代わりのメッセージを設定することができる。ウェブタブ４６０は代わりのテキストオプション４６２を含む。代わりのテキストオプションによりユーザは、インターネットからの画像を表示することができないときに表示するテキストを入力することができる。ユーザは、「ＯＫ」ボタンをクリックすることにより設定オプションを受け入れることができ、または、「キャンセル」ボタンをクリックすることにより設定オプションをキャンセルすることができる。その他のオプションをウェブタブ４６０に設定できることを当業者は理解するであろう。
【００３７】
図１１は、表示オプションタブ４７０を表示するＧＵＩ４００の説明図である。表示オプションタブ４７０によりユーザは、本発明のインテリジェントアジェンダのアウトラインの表示及び拡張を設定することができる。表示オプションタブ４７０は拡張オプション４７２、行数制限オプション４７４及び表示アウトライン制限オプション４７６を含む。拡張オプション４７２によりユーザは、メイントピックを超えてアウトラインを拡張するチェックボックスを選択することができる。ユーザは、アウトライン全体を拡張するよう選択することができ、または、特定のレベル数のアウトラインだけを拡張するよう選択することができる。ユーザは、現在のトピックだけを拡張するようプレゼンテーションプログラムに命令するチェックボックスも選択することができる。
【００３８】
行数制限オプション４７４によりユーザは、インテリジェントアジェンダに表示される行数を制限することができる。行数制限オプション４７４のチェックボックスを選択することによりユーザは、インテリジェントアジェンダに表示される行の総数を設定することができる。アウトラインの行数が、行数制限オプション４７４で設定された表示行数を超えると、ユーザは、表示される行を決定する方法を選択する必要がある。ユーザは、トピックの区分（すなわち、メイントピックまたはサブトピック）にかかわらず、隣接するトピックを表示するラジオボタンを選択することができる。このオプションは、現在のトピックの直前及び直後が何であるかを聴衆が知る必要があるときに有益である。あるいはまた、ユーザは、メイントピックと、現在のトピックより上位にあるサブトピックとを表示するラジオボタンを選択することができ、その後、許可されるならば、他に隣接のトピックを表示する。例えば、ユーザが現在、図３の７番目のスライド（すなわち、IＶのＣ．例）にいる場合であって、表示される行の数を５に制限し、２番目の表示オプションを選択している場合、本発明は、インテリジェントアジェンダの４番目〜８番目のスライドからトピックを表示する。７番目のスライドが現在のスライドであるので、本発明はアウトラインの７番目のスライドのトピックを表示する。４番目のスライドが現在のスライドより上位にあるので、本発明は４番目のスライドのトピックをもアウトラインに表示する。４番目のスライドの上位にこれ以上トピックが存在しないので、本発明は、現在のスライドに隣接するスライドすなわち５番目、６番目及び８番目のスライドのトピックを表示する。第２のオプションは、聴衆が現在のスライドの文脈配置を理解する必要があるときに有益である。
【００３９】
表示アウトライン制限オプション４７６によりユーザは、所望のアウトライントピックのみが表示されるようにインテリジェントアジェンダのアウトラインの表示を設定することができる。ユーザは、現在のトピックより前のトピックを表示するチェックボックスを選択することができる。このことは、プレゼンテーション中に既に取り上げられたアウトライントピックが何であるかを聴衆が知る必要があるときに有益である。ユーザは、現在のトピックより後のトピックを表示するチェックボックスをも選択することができる。このことは、プレゼンテーションで次に取り上げられるアウトライントピックが何であるかを聴衆が知る必要があるときに有益である。どちらのチェックボックスも選択しないことによりインテリジェントアジェンダは現在のトピックのみを表示することができる。両方のチェックボックスを選択することによりインテリジェントアジェンダは、行数制限オプション４７４の制限に従って現在のトピックより前と後のトピックを表示することができる。ユーザは、「ＯＫ」ボタンをクリックすることにより設定オプションを受け入れることができ、または、「キャンセル」ボタンをクリックすることにより設定オプションをキャンセルすることができる。その他のオプションを表示オプションタブ４７０に設定できることを当業者は理解するであろう。
【００４０】
図１２には、本発明のインテリジェントアジェンダプログラム（ＩＡＰ）５００のロジックを示す。ＩＡＰ５００は、プレゼンテーションプログラム１２０のスライドのインテリジェントアジェンダを表示するコンピュータプログラムである。ＩＡＰ５００は、ＣＰ３００でユーザにより選択された設定に従ってインテリジェントアジェンダを表示する。ユーザがプレゼンテーションプログラム１２０を実行する際にＩＡＰ５００が開始する（５０２）。次に、ＩＡＰ５００はスライドショーの最初のスライドを表示する（５０４）。次に、ＩＡＰ５００は、ユーザが表示オプションを設定したかを決定する（５０６）。ユーザは、表示オプションタブ４７０を用いて表示オプションを設定することができる。ユーザが表示オプションを設定しなかったら、ＩＡＰ５００はアウトラインのトピックのすべてを表示し（５０８）、ステップ５２２に進む。ユーザが表示オプションを設定したならば、ＩＡＰ５００は、ユーザが拡張オプションを設定したかを決定する（５１０）。ユーザが拡張オプションを設定しなかったら、ＩＡＰ５００はステップ５１４に進む。ユーザが拡張オプションを設定したならば、ＩＡＰ５００は、ユーザにより選択された設定オプションに従って拡張されたアウトラインを表示する（５１２）。次に、ＩＡＰ５００はステップ５１４に進む。
【００４１】
ステップ５１４では、ＩＡＰ５００は、ユーザが表示行数を制限したかを決定する（５１４）。ユーザが表示行数を制限しなかったら、ＩＡＰ５００はステップ５１８に進む。ユーザが表示行数を制限したならば、ＩＡＰ５００は、ユーザにより選択された設定オプションに従ってアウトラインを修正するか、または表示するか、あるいはこれらの両方を行う（５１６）。アウトラインがステップ５１２で表示されなかったら、ＩＡＰ５００はステップ５１６でアウトラインを表示する。アウトラインがステップ５１２で表示されたならば、ＩＡＰ５００はステップ５１６でアウトラインを修正する。次に、ＩＡＰ５００はステップ５１８に進む。
【００４２】
ステップ５１８では、ＩＡＰ５００は、ユーザが前後のトピックの表示を制限したかを決定する（５１８）。ユーザが前後のトピックの表示を制限しなかったら、ＩＡＰ５００はステップ５２２に進む。ユーザが前後のトピックの表示を制限したならば、ＩＡＰ５００は、ユーザにより選択された設定オプションに従ってアウトラインを修正するか、または表示するか、あるいはこれらの両方を行う（５２０）。アウトラインがステップ５１２またはステップ５１６で表示されなかったら、ＩＡＰ５００はステップ５２０でアウトラインを表示する。アウトラインがステップ５１２またはステップ５１６で表示されたならば、ＩＡＰ５００はステップ５２０でアウトラインを修正する。次に、ＩＡＰ５００はステップ５２２に進む。
【００４３】
ステップ５２２では、ＩＡＰ５００は、スライドショーで残ったスライドがあるかを決定する（５２２）。残ったスライドがなければ、ＩＡＰ５００は終了する（５２８）。残ったスライドが存在すれば、ＩＡＰ５００は、ユーザがスライドをナビゲートするのを待つ（５２４）。ユーザは、次のスライド、前のスライド、または、スライドショーのスライドのどれかを選択することによりスライドをナビゲートすることができる。ユーザがスライドをナビゲートすると、ＩＡＰ５００は、ユーザにより選択されたスライド（すなわち、次のスライド、前のスライド、または、選択されたスライド）を表示し、ステップ５０６に戻る。
【００４４】
図１３、図１４、図１５及び図１６には、本発明のインテリジェントアジェンダのアウトラインを下に向かっていくポインタの進行を示す。インテリジェントアジェンダは、スライドの左下隅に提示されているアウトラインである。ユーザが、あるスライドから他のスライドにナビゲートするとき、ポインタは、ユーザが論じている現在のトピックを指し示す。更に、現在のトピックは、インテリジェントアジェンダ上にボールド体で提示されている。図１３〜図１６は、図１７〜図２３の比較のために用いられる。
【００４５】
図１７には、色及び線タブ４１０を用いて修正されたインテリジェントアジェンダを示す。図１７では、アウトラインの背景色が除去されている。
【００４６】
図１８には、レイアウトタブ４３０を用いて修正されたインテリジェントアジェンダを示す。インテリジェントアジェンダは左下隅から右下隅へ移動されている。
【００４７】
図１９には、表示オプションタブ４７０において拡張オプション４７２を用いて修正されたインテリジェントアジェンダを示す。特に、図１９では、インテリジェントアジェンダは現在のサブトピックに対してアウトラインを拡張している。また、図１９では、メイントピックがボールド体であって、ポインタにより指し示されるが、現在のサブトピックのみがボールド体であるようにインテリジェントアジェンダが設定されている。ユーザが次のスライドにナビゲートすれば、「詳細な部分」項目はもはやボールド体ではなくなり、「支援情報」アウトライン項目がボールド体になる。
【００４８】
図２０及び２１には、表示オプションタブ４７０において行数制限オプション４７４を用いて修正されたインテリジェントアジェンダを示す。特に、図２０及び２１では、行数は５に制限されている。図２０には、行数制限オプション４７４における２つの表示方法の一方を示す。図２１には、行数制限オプション４７４における２つの表示方法の他方を示す。
【００４９】
図２２及び２３には、表示オプションタブ４７０において表示アウトライン制限オプション４７６を用いて修正されたインテリジェントアジェンダを示す。特に、図２２では、ユーザは、現在のトピックより前のトピックではなく、現在のトピックより後のトピックを表示するように選択している。図２３では、ユーザは、現在のトピックより後のトピックではなく、現在のトピックより前のトピックを表示するように選択している。
【００５０】
本発明の他の実施形態では、各アウトライン項目の大体の長さ、または、プレゼンテーションの大体の長さ、あるいはその両方を知らせるタイマを用いてインテリジェントアジェンダを設定することができる。この実施形態は、聴衆が特定のトピックにおける残りの時間、または、プレゼンテーション全体に対する残りの時間を知る必要があるときに有益である。
【００５１】
上記の説明に関して、当然のことながら、サイズ変化、資料、形状、形式、機能、操作方法、組み立て及び使用を含む本発明の部分に対して最適な寸法関係が当業者に簡単に分かると考えられる。本発明は、図面及び本明細書に示すものに等価な関係のすべてを含む。この開示に含まれている幾つかのステップを再順序付けまたは削除することに関して、本発明の斬新な精神は依然として具体化されている。本発明の精神は、特許請求の範囲の適切な解釈によることを除く何らかの方法で限定されることを意味するものではない。
【図面の簡単な説明】
【００５２】
【図１】本発明を実施するのに用いられるコンピュータネットワークの説明図である。
【図２】メモリ及びプロセッサを含み、本発明と関連するコンピュータの説明図である。
【図３】本発明に関するトピックのアウトラインの説明図である。
【図４】本発明のコンフィギュレーションプログラム（ＣＰ）のロジックの説明図である。
【図５】本発明の色及び線タブの説明図である。
【図６】本発明のサイズタブの説明図である。
【図７】本発明のレイアウトタブの説明図である。
【図８】本発明のピクチャタブの説明図である。
【図９】本発明のテキストボックスタブの説明図である。
【図１０】本発明のウェブタブの説明図である。
【図１１】本発明の表示オプションタブの説明図である。
【図１２】本発明のインテリジェントアジェンダプログラム（ＩＡＰ）のロジックの説明図である。
【図１３】本発明のインテリジェントアジェンダを下に向かっていくポインタの進行を示す図である。
【図１４】本発明のインテリジェントアジェンダを下に向かっていくポインタの進行を示す図である。
【図１５】本発明のインテリジェントアジェンダを下に向かっていくポインタの進行を示す図である。
【図１６】本発明のインテリジェントアジェンダを下に向かっていくポインタの進行を示す図である。
【図１７】ＣＰの色及び線タブを用いて修正されたインテリジェントアジェンダを示す図である。
【図１８】ＣＰのレイアウトタブを用いて修正されたインテリジェントアジェンダを示す図である。
【図１９】ＣＰの表示オプションタブを用いて修正されたインテリジェントアジェンダを示す図である。
【図２０】ＣＰの表示オプションタブを用いて修正されたインテリジェントアジェンダを示す図である。
【図２１】ＣＰの表示オプションタブを用いて修正されたインテリジェントアジェンダを示す図である。
【図２２】ＣＰの表示オプションタブを用いて修正されたインテリジェントアジェンダを示す図である。
【図２３】ＣＰの表示オプションタブを用いて修正されたインテリジェントアジェンダを示す図である。
【図１】
2007524116.tif 000003
【図２】
2007524116.tif 000004
【図３】
2007524116.tif 000005
【図４】
2007524116.tif 000006
【図５】
2007524116.tif 000007
【図６】
2007524116.tif 000008
【図７】
2007524116.tif 000009
【図８】
2007524116.tif 000010
【図９】
2007524116.tif 000011
【図１０】
2007524116.tif 000012
【図１１】
2007524116.tif 000013
【図１２】
2007524116.tif 000014
【図１３】
2007524116.tif 000015
【図１４】
2007524116.tif 000016
【図１５】
2007524116.tif 000017
【図１６】
2007524116.tif 000018
【図１７】
2007524116.tif 000019
【図１８】
2007524116.tif 000020
【図１９】
2007524116.tif 000021
【図２０】
2007524116.tif 000022
【図２１】
2007524116.tif 000023
【図２２】
2007524116.tif 000024
【図２３】
2007524116.tif 000025
【国際調査報告】
2007524116.tif 000026
2007524116.tif 000027
2007524116.tif 000028